(57)【要約】【課題】  散水器において、散水ヘッドの収置定位状態を安定させることができ、且つ、散水ヘッドを容易に交換することができるようにすることを課題とする。【解決手段】  散水器２０本体に、不使用の散水ヘッド１０を収置する、一体成型の嵌合定位部３０を有する。嵌合定位部３０は貫通孔３１と定位凸縁３２とを有する。散水ヘッド１０は挿管部１１及び定位フック１２を有する。散水ヘッド１０は、挿管部１１を貫通孔３１に嵌合させ、回転させて定位フック１２が定位凸縁３２と嵌合されて、収置定位状態に安定に保持される。【選択図】  図４
0003111110.tif 000002
【実用新案登録請求の範囲】
【請求項１】
散水器（２０）の出水口（２１）に嵌入設置し、使用することができる散水ヘッド（１０）を有し、
該散水ヘッド（１０）は出水口（２１）に嵌入することができる１つの挿管部（１１）を含み、
該散水ヘッド（１０）を出水口（２１）に設置した状態のとき、散水ヘッド（１０）の噴孔（１３）と出水口（２１）とは連通し、
該散水器（２０）本体と一体であり、貫通孔（３１）を有する嵌合定位部（３０）を有し、
該散水ヘッド（１０）がその挿管部（１１）を該貫通孔（３１）に嵌入されて定位される構成としたことを特徴とする散水器の組み合わせ式散水ヘッド定位構造。
【請求項２】
請求項１記載の散水器の組み合わせ式散水ヘッド定位構造において、
前記散水ヘッド（１０）の挿管部（１１）の中段（１４）は前記貫通孔（３１）を丁度に通過できる外径であり、
前記散水ヘッド（１０）の外端は外径が貫通孔（３１）より大きい広径端（１５）を具備し、該広径端（１５）と挿管部（１１）の中段（１４）との間に貫通孔（３１）より外径の小さい狭径端（１６）を具備してなり、
前記散水ヘッド（１０）を嵌合定位部（３０）に収置するとき、挿管部（１１）の中段（１４）を貫通孔（３１）に通過させ、狭径端（１６）が貫通孔（３１）と相対する位置に到って、散水ヘッド（１０）が貫通孔（３１）に固定されて定位される構成としたことを特徴とする散水器の組み合わせ式散水ヘッド定位構造。
【請求項３】
散水器（２０）の出水口（２１）に嵌入設置し、使用することができる散水ヘッド（１０）を有し、
該散水ヘッド（１０）は、出水口（２１）に嵌入設置することが可能である１つの挿管部（１１）と、１つの定位フック（１２）とを有し、
該散水ヘッド（１０）を出水口（２１）に設置した状態のとき、散水ヘッド（１０）の噴孔（１３）と出水口（２１）とは連通し、
該定位フック（１２）は、散水ヘッド（１０）外端の１つの側に突設され、
散水ヘッド（１０）の挿管部（１１）を出水口（２１）に嵌入設置し、散水ヘッド（１０）を所定の角度回転させることにより、散水ヘッド（１０）の定位フック（１２）と出水口（２１）の凸縁（２２）とが嵌合し、散水ヘッド（１０）が使用時に出水圧力によって外れない状態で固定される構成としたことを特徴とする散水器の組み合わせ式散水ヘッド定位構造。
【請求項４】
請求項３記載の散水器の組み合わせ式散水ヘッド定位構造において、
前記散水ヘッド（１０）の挿管部（１１）の中段（１４）は前記貫通孔（３１）を丁度に通過できる外径であり、
前記散水ヘッド（１０）の外端は外径が貫通孔（３１）より大きい広径端（１５）を具備し、該広径端（１５）と挿管部（１１）の中段（１４）との間に貫通孔（３１）より外径の小さい狭径端（１６）を具備してなり、
前記散水ヘッド（１０）を嵌合定位部（３０）に収置するとき、挿管部（１１）の中段（１４）を貫通孔（３１）に通過させ、狭径端（１６）が貫通孔（３１）と相対する位置に到って、散水ヘッド（１０）が貫通孔（３１）に固定されて定位される構成としたことを特徴とする散水器の組み合わせ式散水ヘッド定位構造。
【考案の詳細な説明】
【技術分野】
【０００１】
本考案は一種の散水器に係り、特に、一種の散水器の組み合わせ式散水ヘッド定位構造に関するものである。
【背景技術】
【０００２】
本考案で言う散水器とは園芸において用いられ、且つ、一般的によく見られる散水装置であり、それは主に入水端、出水口、及び角度回転コントローラー等を含み、出水量を変える為に出水口に取り付けた出水器の散水ヘッドを異なる口径の散水ヘッドに変えることにより、散水量を調整することができ、使わない散水ヘッドは散水器の一部分に掛けておき、後日使用する時に交換することができるというものである。
【考案の開示】
【考案が解決しようとする課題】
【０００３】
本考案での改良点は散水ヘッドの収置定位形態に焦点を当てて改良したものであり、周知の構造形態は一般的に使用しない散水ヘッドは紐、リング等により締めつけたり引っ掛けたりする方法により散水器の適当な位置に収置することができるが、周知の構造は下記の問題がある。
１．交換が不便：使用しない散水ヘッドは紐、リング等により固定されている為、使用時に紐、リングから取り外す必要があり、時間がかかり、不便であるという問題がある。
２．定位性及び耐用性に優れていない：散水ヘッドは紐、リング等により固定されている為、散水ヘッドは揺れたり動いたりする状態で掛けられている為、安定定位状態を得ることができず、容易に揺れ動いたりゆるんだりする為、外れて遺失しやすく長期保管が難しいという問題がある。
【０００４】
従って、周知の散水器の散水ヘッドの安定定位状態を得ることができないと言う問題を解決した構造の一種の散水器の散水ヘッドを開発するかが、関係業界では開発目標となっている。
【０００５】
本考案人は上記課題に取り組み、関係する製品の開発及び設計に従事し、上記の目標に焦点をしぼり、研究を行ない、設計もより精密になり、試験と評価を繰り返し、ついに実用性のある本考案が完成した。
【０００６】
本考案は、上記課題を解決した散水器の組み合わせ式散水ヘッド定位構造を提供することを目的とする。
【課題を解決するための手段】
【０００７】
本考案は、散水器（２０）の出水口（２１）に嵌入設置し、使用することができる散水ヘッド（１０）を有し、
該散水ヘッド（１０）は出水口（２１）に嵌入することができる１つの挿管部（１１）を含み、
該散水ヘッド（１０）を出水口（２１）に設置した状態のとき、散水ヘッド（１０）の噴孔（１３）と出水口（２１）とは連通し、
該散水器（２０）本体と一体であり、貫通孔（３１）を有する嵌合定位部（３０）を有し、
該散水ヘッド（１０）がその挿管部（１１）を該貫通孔（３１）に嵌入されて定位される構成としたことを特徴とし、
更に、前記散水ヘッド（１０）の挿管部（１１）の中段（１４）は前記貫通孔（３１）を丁度に通過できる外径であり、
前記散水ヘッド（１０）の外端は外径が貫通孔（３１）より大きい広径端（１５）を具備し、該広径端（１５）と挿管部（１１）の中段（１４）との間に貫通孔（３１）より外径の小さい狭径端（１６）を具備してなり、
前記散水ヘッド（１０）を嵌合定位部（３０）に収置するとき、挿管部（１１）の中段（１４）を貫通孔（３１）に通過させ、狭径端（１６）が貫通孔（３１）と相対する位置に到って、散水ヘッド（１０）が貫通孔（３１）に固定されて定位される構成としたことを特徴とする。
【考案の効果】
【０００８】
本考案によれば、散水ヘッド（１０）の収置定位状態を更に安定させることができ、長期間保存でき、且つ、散水ヘッド（１０）を容易に交換することができる。
【考案を実施するための最良の形態】
【０００９】
次に本考案の実施の形態について説明する。
【実施例１】
【００１０】
図１、図３〜図７は使用しない散水ヘッド１０が散水器２０に取り付けてある構成を示す。図２及び図３は、使用する散水ヘッド１０の散水器２０への取り付けを示す。図１〜４は本考案の散水器の組み合わせ式散水ヘッド定位構造を示す。
【００１１】
図２及び図３に示すように、散水ヘッド１０は使用時、散水器２０の出水口２１に取り付けられる。
【００１２】
散水ヘッド１０は、通常プラスチック材質であり、１つの挿管部１１と１つの定位フック１２とを有する。挿管部１１は散水器２０の出水口２１に嵌入することが可能である。挿管部１１が出水口２１に嵌入されている状態で、散水ヘッド１０の中央の噴孔１３は出水口２１と連通している。
【００１３】
定位フック１２は散水ヘッド１０の外端の１つの側に、散水ヘッド１０本体と直角方向に突設してある。
【００１４】
図２に示すように、散水ヘッド１０の挿管部１１を出水口２１に嵌入し、図３に示すように、散水ヘッド１０を所定の角度回転させることにより、散水ヘッド１０の定位フック１２と出水口２１の凸縁２２とが嵌合し、散水ヘッド１０が固定され、これにより出水圧力によって散水ヘッド１０が外れてしまうことが防止される。
【００１５】
散水器２０の本体は一体成型の嵌合定位部３０を具備する。嵌合定位部３０は貫通孔３１及び定位凸縁３２を具備する。散水ヘッド１０の挿管部１１を貫通孔３１に挿入し、散水ヘッド１０を所定の角度回転させることにより、散水ヘッド１０の定位フック１２が嵌合定位部３０の定位凸縁３２に嵌合する構造である。
【００１６】
散水ヘッド１０の挿管部１１の中段１４は貫通孔３１を丁度に通過できる外径であり、散水ヘッド１０の外端に外径が貫通孔３１より大きい広径端１５を有し、広径端１５と挿管部１１の中段１４との間に貫通孔３１より外径の小さい狭径端１６を有する。
【００１７】
不使用の散水ヘッド１０を嵌合定位部３０に取り付けて収置するときに、図８及び図９に示すように、挿管部１１の中段１４を貫通孔３１に押し込んで通過させる。嵌合定位部３０はプラスチック材質であり可塑性を有しているため、挿管部１１の中段１４が貫通孔３１に押し込まれた場合に、中段１４は貫通孔３１を通過する。狭径端１６が貫通孔３１と相対する位置に到った状態で、散水ヘッド１０が貫通孔３１に固定され、且つ、外れにくい状態になり、嵌合定位効果を得ることができ、この状態下では散水ヘッド１０は簡単には脱落しない状態となる。
【００１８】
更に一歩進んで、散水ヘッド１０を回転させ、図７及び図９に示すように、散水ヘッド１０の定位フック１２と嵌合定位部３０の定位凸縁３２とを嵌合させる。これによって、散水ヘッド１０の収置状態は更に安定固定し、長期保存と脱落防止のメリットを達成する。
【００１９】
また、散水ヘッド１０を使用するときには、散水ヘッド１０を反対方向に回し定位フック１２を定位凸縁３２から離脱させ、挿管部１１が貫通孔３１から外れるよう力を加えるだけで、散水ヘッド１０の交換作業を行なうことができ、素早く、簡単に交換作業を行なうことができる。
【００２０】
上記構成になる本考案の散水器の組み合わせ式散水ヘッド定位構造は、以下に記載する利点（１）、（２）を有する。
（１）散水器２０本体に一体成型により嵌合定位部３０が具備されることにより、不使用の散水ヘッド１０を固定することができ、散水ヘッド１０の収置定位状態を更に安定させ、長期保存することができ、容易に脱落しない構造を提供することができる。
（２）散水ヘッド１０は挿管部１１と定位フック１２とにより、取り付け、取り外しの作業を、簡単な挿し込み、回転動作により達成することにより、使い易さを達成することができる。
【００２１】
上記は本考案の考案実施例について本創作の技術及び特徴を具体に説明するもので、熟知した技術者が本創作の延長線上で修正作業を行なっても本創作の権利範囲内である。
【図面の簡単な説明】
【００２２】
【図１】本考案の実施例１の散水器の側面図である。
【図２】本考案の散水ヘッドと散水器の出水口との分解斜視図である。
【図３】本考案の散水ヘッドを散水器の出水口に組み合わせた状態を示す斜視図である。
【図４】本考案の散水ヘッドと散水器の嵌合定位部との分解立体図である。
【図５】本考案の散水ヘッドと散水器の嵌合定位部との組み合わせ定位状態立体図である。
【図６】本考案の散水ヘッドと散水器の嵌合定位部との組み合わせ状態平面図である。
【図７】本考案の散水ヘッドと散水器の嵌合定位部との組み合わせ状態平面図である。
【図８】本考案の散水ヘッドと散水器との分解断面図である。
【図９】本考案の散水ヘッドと散水器との組み合わせ断面図である。
【符号の説明】
【００２３】
１０  散水ヘッド
１１  挿管部
１２  定位フック
１３  噴孔
１４  中段
１５  広径端
１６  狭径端
２０  散水器
２１  出水口
２２  凸縁
３０  嵌合定位部
３１  貫通孔
３２  定位凸縁
【図１】
0003111110.tif 000003
【図２】
0003111110.tif 000004
【図３】
0003111110.tif 000005
【図４】
0003111110.tif 000006
【図５】
0003111110.tif 000007
【図６】
0003111110.tif 000008
【図７】
0003111110.tif 000009
【図８】
0003111110.tif 000010
【図９】
0003111110.tif 000011